(57)【要約】【課題】内容物を多量に注出させる場合でも流れを安定させることができるスクイズ容器用注出キャップを提供する。【解決手段】本発明のスクイズ容器用注出キャップは、容器２の口部３の開口を覆うとともに口部３を取り囲む周壁１１に連結する天壁１２を有し、天壁１２に内容物の注出口１３を有するキャップ本体１０と、キャップ本体１０の内側において天壁１２に保持されるベース２１を有し、ベース２１に２つ以上の弾性片２２を介して注出口１３に向けて移動可能に支持される弁体２３を有するバルブ２０とを備え、注出口１３は、注出口１３の縁部から注出口１３の中心部に向けて延在するとともに、注出口１３に向けて移動する弁体２３に当接するリブ１４を、３つ以上備えることを特徴とする。【選択図】図１
2016011160.tif 000002
【特許請求の範囲】
【請求項１】
可撓性を有する容器の口部に装着されるスクイズ容器用注出キャップであって、
前記口部の開口を覆うとともに該口部を取り囲む周壁に連結する天壁を有し、該天壁に内容物の注出口を有するキャップ本体と、該キャップ本体の内側において該天壁に保持されるベースを有し、該ベースに２つ以上の弾性片を介して前記注出口に向けて移動可能に支持される弁体を有するバルブとを備え、
前記注出口は、該注出口の縁部から該注出口の中心部に向けて延在するとともに、該注出口に向けて移動する該弁体に当接するリブを有し、該リブを３つ以上備えるスクイズ容器用注出キャップ。
【請求項２】
前記リブは、横断面形状において上面が凸状に湾曲する請求項１に記載のスクイズ容器用注出キャップ。
【請求項３】
前記弁体は、その上面が径方向外側から内側に向かって厚みが緩やかに増す湾曲形状である請求項１又は２に記載のスクイズ容器用注出キャップ。
【請求項４】
前記注出口は、前記リブの先端部間に位置する中央開口を有し、前記弁体は、該注出口に向けて移動した際に該中央開口に入り込むテーパ壁を有する請求項１に記載のスクイズ容器用注出キャップ。
【請求項５】
前記天壁は、前記ベースを取り囲んで嵌合保持する筒状壁と、該筒状壁に連結するとともに該天壁から離れるにつれて径方向外側に広がる傾斜壁とを有する請求項１〜４の何れか一項に記載のスクイズ容器用注出キャップ。
【発明の詳細な説明】
【技術分野】
【０００１】
本発明は、可撓性を有する容器の口部に装着されるスクイズ容器用注出キャップに関するものである。
【背景技術】
【０００２】
従来、容器を握ることで内容物を注出させ、容器から手を離せばそれ自身の可撓性でもって復元する、所謂スクイズ容器に装着されるスクイズ容器用注出キャップにおいては、容器を傾倒姿勢に変位させると、すぐに内容物が垂れ落ちてしまう不具合が生じることがあった。このような問題に対し、特許文献１では、容器を握って容器内が加圧した際に弁体が開くようにした弁（バルブ）を設けることによって解決を図っている。
【先行技術文献】
【特許文献】
【０００３】
【特許文献１】特開２００６−２０６１６１号公報
【発明の概要】
【発明が解決しようとする課題】
【０００４】
ところで、このようなバルブを組み込んだ注出キャップにおいては、内容物を多量に注出させるべく容器を強く握ると、弁体が大きく移動し、その際に傾いてしまうことがある。この場合、内容物は傾いた弁体に沿って不均一な向きで注出されることになるため、流れに乱れが生じて周囲に飛び散ってしまうことがあった。
【０００５】
本発明は、このような点を解決することを課題とするものであり、容器を傾倒姿勢に変位させても直ちに内容物が垂れ落ちることがなく、また、容器を強く握って内容物を多量に注出させる場合でも流れを安定させることができる、新たなスクイズ容器用注出キャップを提案するところにある。
【課題を解決するための手段】
【０００６】
本発明は、可撓性を有する容器の口部に装着されるスクイズ容器用注出キャップであって、
前記口部の開口を覆うとともに該口部を取り囲む周壁に連結する天壁を有し、該天壁に内容物の注出口を有するキャップ本体と、該キャップ本体の内側において該天壁に保持されるベースを有し、該ベースに２つ以上の弾性片を介して前記注出口に向けて移動可能に支持される弁体を有するバルブとを備え、
前記注出口は、該注出口の縁部から該注出口の中心部に向けて延在するとともに、該注出口に向けて移動する該弁体に当接するリブを有し、該リブを３つ以上備えるスクイズ容器用注出キャップである。
【０００７】
前記リブは、横断面形状において上面が凸状に湾曲することが好ましい。
【０００８】
前記弁体は、その上面が径方向外側から内側に向かって厚みが緩やかに増す湾曲形状であることが好ましい。
【０００９】
前記注出口は、前記リブの先端部間に位置する中央開口を有し、前記弁体は、該注出口に向けて移動した際に該中央開口に入り込むテーパ壁を有することが好ましい。
【００１０】
前記天壁は、前記ベースを取り囲んで嵌合保持する筒状壁と、該筒状壁に連結するとともに該天壁から離れるにつれて径方向外側に広がる傾斜壁とを有することが好ましい。
【発明の効果】
【００１１】
本発明では、注出口の縁部から注出口の中心部に向けて延在するとともに、注出口に向けて移動するバルブの弁体に当接するリブを設けているので、移動した弁体をリブで支持することができる。またこのリブを３つ以上設けているため、弁体は、空間における姿勢が定まることになって傾きが抑えられるので、内容物の流れの乱れを抑制することができる。また、弁体を支持する弾性片が１つの場合は、弁体を初期の位置に保持しておく力が不足して容器を傾けると内容物が垂れ落ちてしまうことがあるが、弾性片を２つ以上設けることで、内容物の垂れ落ちをより確実に防止することができる。
【００１２】
リブの上面が、横断面形状において凸状に湾曲する場合は、内容物がリブの上面に残り難くなるので、内容物がリブ表面で硬化してしまう不具合を防止することができる。
【００１３】
弁体の上面が、径方向外側から内側に向かって厚みが緩やかに増す湾曲形状である場合は、弁体に付着する内容物を径方向外側に流しやすくすることができるので、弁体に付着した内容物が固化して弁体の動きが悪くなるなどの不具合を無くすことができる。
【００１４】
３つ以上設けたリブの先端部間に形成される中央開口に対し、弁体に設けたテーパ壁が、弁体の移動によってこの中央開口に入り込むようにする場合は、弁体の傾きを抑制することができ、また注出口に対する弁体の位置も定まるので、内容物の流れをより安定させることが可能になる。
【００１５】
天壁に、ベースを取り囲んで嵌合保持する筒状壁と、筒状壁に連結するとともに天壁から離れるにつれて径方向外側に広がる傾斜壁とを設ける場合は、キャップ本体にバルブを組み込む作業が行いやすくなる。
【図面の簡単な説明】
【００１６】
【図１】本発明に従うスクイズ容器用注出キャップの一実施形態につき、（ａ）は容器に装着した状態で示す側面視での断面図であり、（ｂ）は（ａ）にＸ−Ｘで示す断面図である。
【図２】図１に示すリブの矢印Ａに沿う矢視図であり、（ａ）はリブを１つ設けた状態、（ｂ）はリブを２つ設けた状態、（ｃ）は２つのリブを注出口の中心部で連結させた状態、（ｄ）は３つのリブを設けた状態、（ｅ）は３つのリブを注出口の中心部で連結させた状態、（ｆ）は４つのリブを設けた状態、（ｇ）は５つのリブを設けた状態、（ｈ）は６つのリブを設けた状態である。
【図３】図１に示すバルブにつき、（ａ）は側面視での断面図であり、（ｂ）は平面図である。
【図４】本発明に従うスクイズ容器用注出キャップの他の実施形態につき、容器に装着した状態で示す側面視での断面図である。
【発明を実施するための形態】
【００１７】
以下、図面を参照して、本発明をより具体的に説明する。なお、本明細書において、「上」とは、後述するキャップ本体に対して蓋体が位置する側であり、「下」とはその反対側である。
【００１８】
図１において、符号１は、本発明に従うスクイズ容器用注出キャップの一実施形態を示す。スクイズ容器用注出キャップ１（以下、「注出キャップ１」と称する場合もある）は、キャップ本体１０と、バルブ２０と、蓋体３０とで構成されている。また本実施形態の注出キャップ１は、容器２の口部３に装着されるように構成されている。
【００１９】
キャップ本体１０は、口部３を取り囲む周壁１１を備えている。周壁１１の内周面には、口部３の外周面に設けた爪部４に係合する突起１１ａが設けられている。突起１１ａは環状であっても間欠状であってもよい。また周壁１１の上端部には、口部３の開口を覆う天壁１２を一体に連結している。天壁１２の中央には、天壁１２を貫通する円形の孔（注出口１３）が設けられている。
【００２０】
注出口１３には、この注出口１３の縁部に一体に連結するリブ１４が設けられている。リブ１４は、注出口１３の縁部から注出口１３の中心部に向けて延在している。本実施形態では、図２（ｈ）に示すように同形状となる６つのリブ１４が設けられていて、それぞれのリブ１４は注出口１３の半径方向に指向し、これらを注出口１３の縁部に沿って均等配置で設けている。またリブ１４の長さは注出口１３の半径に満たないものとし、６つのリブ１４における、注出口１３の中心部側に位置する先端部１４ａで囲まれる領域には、中央開口１５が形成されている。なお、「注出口１３の中心部」とは、注出口１３の中心のみならずその周辺を含むものであって、リブ１４の指向する向きが注出口１３の半径方向に限定されることを意味するものではない。また、リブ１４の長さは、注出口１３の半径に満たない場合に加え、その半径と同等、或いはその半径を超える長さであってもよい。またリブ１４の個数は３つ以上であればよい。そして図２（ｅ）に示すようにリブ１４同士を連結させてもよい。またリブ１４は、図１（ｂ）に示すように、横断面形状において上面が凸状に湾曲していることが好ましい。これにより、リブ１４に付着する内容物がその上面に残り難くなる。リブ１４の下面も湾曲する場合は、リブ１４に付着した内容物が更に残り難くなるのでより好ましい。
【００２１】
また、図１（ａ）に示すように注出口１３の径方向外側における天壁１２の下面には、下方に向けて延在する筒状壁１６と、筒状壁１６に連結するとともに天壁１２から離れるにつれて径方向外側に広がる（下側に向かうにつれて拡径する）板状の傾斜壁１６ａとが設けられている。また筒状壁１６の内周面には、径方向内側に向けて突出する内向き凸部１６ｂ（環状でも間欠状でもよい）が設けられている。更に、天壁１２の下面には、口部３の内周面に対して密に当接するシール筒１７が設けられている。
【００２２】
そして天壁１２の上面には、注出口１３の縁部から径方向内側に延びるとともに上方へ向けて延在し、先端を径方向外側に湾曲させてリップを形成した注出筒１８が設けられている。また天壁１２の外縁には、径方向外側に向けて膨出し、蓋体３０を着脱自在に保持する係合部１９が設けられている。
【００２３】
図１（ａ）、図３に示すようにバルブ２０は、環状となるベース２１を備えている。ベース２１の外周面には、筒状壁１６に設けた内向き凸部１６ｂに係合する、環状の外向き凸部２１ａが設けられている。これによってバルブ２０は、筒状壁１６に抜け止め保持される。またベース２１の径方向内側には、弾性片２２が一体に設けられていて、更に弾性片２２には、弁体２３が一体に設けられている。本実施形態では合計３つの弾性片２２が、ベース２１の内周面に沿うようにして均等配置で設けられている。なお、弾性片２２の個数は２つ以上であればよい。また本実施形態の弾性片２２は、図３（ａ）に示すように、上面から下面に向かって幅が広くなる台形状断面を有するものであり、通常時は下面において弾性片２２同士或いはベース２１や弁体２３にほぼ隙間なく接触している。これにより、注出キャップ１を容器２に装着した際に、外気と内容物との接触を抑えることができる。また本実施形態の弁体２３は、その上面が径方向外側から内側に向かって厚みが緩やかに増すような湾曲形状に形成されている。このような形状にすることで、弁体２３に付着する内容物を径方向外側に流しやすくすることができるので、弁体２３に付着した内容物が固化し、弁体２３の動きが悪くなるなどの不具合を無くすことができる。なお、弁体２３の下面も上面と同様に湾曲形状に形成されている。
【００２４】
図１（ａ）に示すように蓋体３０は、注出筒１８を覆う頂壁３１と、頂壁３１の外縁に連結する外周壁３２を備えている。頂壁３１の下面には、注出筒１８の内周面に当接する円筒状のシール壁３３が設けられている。またシール壁３３の径方向外側には、頂壁３１の上面から力を加えられた際に、天壁１２に当接して蓋体３０の過剰な変形を防止することができる環状リブ３４が設けられている。また外周壁３２の内周面には、係合部１９に係合する凹状の被係合部３５が設けられている。更に、外周壁３２の外周面には、周壁１１の外周面に一体に連結するヒンジ３６が設けられている。なお、ヒンジ３６に代えて、ネジやアンダーカット等でキャップ本体１０と蓋体３０とを連結させるようにしてもよい。
【００２５】
上述した構成になる注出キャップ１は、内容物を収納した容器２の口部３に対し、打栓することで装着される。そして、蓋体３０を開いて容器２を傾倒姿勢に変位させると、容器２内の内容物は弁体２３に向けて流れることになるが、本発明においては２つ以上の弾性片２２で弁体２３を支持しているので、弁体２３の注出口１３に向かう移動が抑えられて内容物の垂れ落ちを防止することができる。特に本実施形態では、図３に示すように弾性片２２の周囲には隙間が殆どないため、内容物の垂れ落ちがより効果的に抑制される。
【００２６】
そして、容器２を手で握ると容器２内が加圧され、その圧力でもって弁体２３が注出口１３側に移動するので、ベース２１、弾性片２２、及び弁体２３の相互間に隙間ができる。これにより内容物はその隙間を通り抜け、注出口１３に設けたリブ１４間の隙間を通って注出筒１８から注出される。内容物を多量に注出させるべく、容器２を強く握る場合は、弁体２３が大きく移動し、図１（ａ）に仮想線で示すようにリブ１４に当接する。リブ１４は３つ以上設けられているため、弁体２３は少なくとも３箇所で支持されて空間における姿勢が定まることになるので、弁体２３の傾きが抑制されて内容物を乱れなく注出することができる。
【００２７】
所望する量の内容物を注出した後、手の力を緩めると、容器２はそれ自身の可撓性でもって元の形状に戻ろうとする。この場合、容器２内は減圧されることになるが、弁体２３が注出口１３から離れる向きに移動して外気を容器２の中に取り込むことができるので、容器２の復元が阻害されることはない。
【００２８】
次に、本発明に従うスクイズ容器用注出キャップの他の実施形態について、図４を参照しつつ説明する。なお、前述の注出キャップ１と同様の構成となる部位については、同一の符号を付して説明を省略する。
【００２９】
本実施形態の注出キャップ５は、バルブ２０の弁体２３に変えて、弁体２４を設けたものである。弁体２４は板状に形成されていて、その上面には、上方に向けて径方向内側に傾くテーパ壁２５が設けられている。本実施形態では、側面視で三角形状になる板状のものを、平面視で十字状になるように２つ組み合わせている。またテーパ壁２５は、弁体２４の下面にも設けられている。
【００３０】
このような構成になる注出キャップ５によれば、容器２を強く握ると弁体２４が注出口１３側に移動し、図４に仮想線で示すようにテーパ壁２５が中央開口１５に入り込む。これにより、弁体２４の傾きが抑制されるとともに、注出口１３に対する弁体２４の位置が定まることになるので、内容物の流れをより安定させることが可能になる。なお、テーパ壁２５を設ける場合も、弁体２４に付着する内容物が径方向外側に流れやすくなるので、弁体２３に付着した内容物が固化し、弁体２３の動きが悪くなるなどの不具合を無くすことができる。
【実施例】
【００３１】
本発明による効果を確認するため、図１（ａ）に示す実施形態の注出キャップを元にして、リブの数やバルブに設ける弾性片の数を変更しながら以下の調査を行った。
【００３２】
まず、容器を強く握って内容物を多量に注出させた際の流れの調査を行った。リブの数及び形状は表１に示す通りであり、バルブは、図１（ａ）、図３に示すもの（弾性片が３つ）を用いた。また内容物には水を用いた。
【００３３】
【表１】
2016011160.tif 000003
判定方法
○：内容物の流れが安定している（周囲への飛び散り無し）
×：内容物の流れが乱れる（周囲に飛び散りが生じる）
【００３４】
表１に示すように、リブの数が２つ以下である場合には、内容物を多量に注出させると内容物の流れに乱れが生じ、周囲への飛び散りが認められた。一方、リブの数が３つ以上であれば、注出口の中心部においてリブ同士が連結しない場合でも、或いはリブ同士が連結する場合でも、内容物は安定して注出され、また周囲への飛び散りは認められなかった。
【００３５】
次に、容器を傾倒姿勢に変位させた際の内容物の垂れ落ちについて調査を行った。弾性片の数は表２に示す通りであり、その形状は図１（ａ）、図２に準じたものとした。またリブは、図２（ｈ）に示すもの（６つのリブ）を用いた。なお内容物は、アルコールの濃度が５０％になる水を用いた。
【００３６】
【表２】
2016011160.tif 000004
判定方法
○：傾倒姿勢に変位させても内容物の垂れ落ちが認められない
×：傾倒姿勢に変位させるとすぐに内容物が垂れ落ちる
【００３７】
表２に示すように、バルブに設ける弾性片の数が１つの場合（一点弁）は、容器を傾倒姿勢に変位させるとすぐに内容物の垂れ落ちが認められた。一方、弾性片の数が２つ以上の場合（二点弁、三点弁、四点弁等）では、容器を傾倒姿勢に変位させてしばらくの間そのままにしていても、内容物の垂れ落ちは認められなかった。
【００３８】
本発明に従うスクイズ容器用注出キャップは、本実施形態に限定されるものではなく、特許請求の範囲に従う範囲で種々の変更が可能である。例えば上述した実施形態では、バルブに設けた弾性片の周囲に通常時では隙間が殆ど生じないものを用いたが、隙間を持つバルブを用いてもよい。
【産業上の利用可能性】
【００３９】
本発明によれば、容器を傾倒姿勢に変位させた際の内容物の垂れ落ちが防止できるとともに、内容物を多量に注出させる場合でも流れを安定させることができる、新規のスクイズ容器用注出キャップを提供することができる。
【符号の説明】
【００４０】
１、５：スクイズ容器用注出キャップ（注出キャップ）
２：容器
３：口部
４：爪部
１０：キャップ本体
１１：周壁
１１ａ：突起
１２：天壁
１３：注出口
１４：リブ
１４ａ：先端部
１５：中央開口
１６：筒状壁
１６ａ：傾斜壁
１６ｂ：内向き凸部
１７：シール筒
１８：注出筒
１９：係合部
２０：バルブ
２１：ベース
２１ａ：外向き凸部
２２：弾性片
２３、２４：弁体
２５：テーパ壁
３０：蓋体
３１：頂壁
３２：外周壁
３３：シール壁
３４：環状リブ
３５：被係合部
３６：ヒンジ
【図１】
2016011160.tif 000005
【図２】
2016011160.tif 000006
【図３】
2016011160.tif 000007
【図４】
2016011160.tif 000008